(57)【要約】【課題】本発明は環境にやさしい省エネルギー型のテント照明設備を開示した。【解決手段】ランプ主体と前記ランプ主体と連結された固定ラックとを含み、前記ランプ主体の中には空きチャンバが設置され、前記空きチャンバ及び前記空きチャンバの端壁の中には照明できる照明装置が設置され、前記空きチャンバの頂壁の中にはネジ山スリーブが回転できるように設置され、前記ネジ山スリーブの頂壁の中には第一ネジ山孔が設置され、本発明が提供した環境にやさしい省エネルギー型のテント照明設備は、ソーラーパネルを利用して発電でき、且つ電力を貯蔵でき、省エネルギーで環境にやさしく、同時に設備の装着と取り外しが便利であり、また設備はソーラーパネルを収納でき、携帯しやすく、設備はテントの内部と外部を照明でき、切換が便利であり、アウトドアの使用に便利を与え、本発明は機能性が高く、普及する価値を有する。【選択図】図１
2020198285.tif 000002
【特許請求の範囲】
【請求項１】
正面視で、ランプ主体と前記ランプ主体と連結された固定ラックとを含み、前記ランプ主体の中には空きチャンバが設置され、前記空きチャンバ及び前記空きチャンバの端壁の中には照明できる照明装置が設置され、前記空きチャンバの頂壁の中にはネジ山スリーブが回転できるように設置され、前記ネジ山スリーブの頂壁の中には第一ネジ山孔が設置され、前記第一ネジ山孔の中には前記第一ネジ山孔とネジ山により連結された第一ネジロッドが設置され、前記照明装置は前記第一ネジロッドの上下移動を利用してテントの内部と外部の空間への照明を切り換え、
前記ランプ主体の頂部の左右両側にはソーラーパワー装置が設置され、前記ソーラーパワー装置の中には前記ランプ主体の両側にヒンジにより連結されたソーラーパネルが設置され、前記ランプ主体の端壁の中にはＵ形チャンバが設置され、前記Ｕ形チャンバの中にスライドできるように設置されたＵ形ブロックが上下へ移動して前記ソーラーパネルを連動させて開閉させ、前記Ｕ形ブロックと前記ソーラーパネルとの間には支持できる支持ロッドがヒンジにより連結され、前記ランプ主体の底部の左右端壁の中には前記ランプ主体と前記固定ラックとをロックできるロック装置が対称的に設置され、前記ロック装置は前記ランプ主体の中に設置された環状チャンバと前記環状チャンバの底壁の中に中心対称的に設置されたカムチャンバとを含み、
前記空きチャンバの頂壁の壁内に設置された切換チャンバの中には前記照明装置及び前記ロック装置に動力を提供する動力装置が設置され、前記動力装置はスライドチャンバとスライドブロックとを含み、前記スライドチャンバが前記切換チャンバの頂壁の中に設置され、前記スライドブロックが前記スライドチャンバの中にスライドできるように設置され、前記固定ラックの中にはライトの強度を下げることができる遮光装置が設置され、前記遮光装置は照明チャンバと遮光カバーとを含み、前記照明チャンバが前記固定ラックの頂壁の中に設置され、前記遮光カバーが前記照明チャンバの端壁の中に環状に設置されたことを特徴とする環境にやさしい省エネルギー型のテント照明設備。
【請求項２】
前記照明装置はまたスプライン孔と、環状ブロックと、リミットブロックと、照明ライトと、ヒンジ連結ロッドと、コンロッドと、連通孔と、第一バネとを含み、前記スプライン孔が前記第一ネジロッドの底壁の中に設置され、前記環状ブロックが前記第一ネジロッドの外部にスライドできるように設置され、前記リミットブロックが前記第一ネジロッドの外面に固定され、且つ前記環状ブロックの上方に位置しており、前記ヒンジ連結ロッドが前記環状ブロックの左右端壁に左右対称的にヒンジにより連結され、前記照明ライトが前記ヒンジ連結ロッドの末端に固定的に設置され、前記コンロッドの一端が前記リミットブロックの端壁に連結され、前記コンロッドのもう一端が前記ヒンジ連結ロッドの中間位置に連結され、前記第一バネが前記リミットブロックと前記環状ブロックの端壁との間に弾性を持つように設置され、前記空きチャンバの左右端壁の中には外部に連通している連通孔が対称的に設置されたことを特徴とする請求項１に記載の環境にやさしい省エネルギー型のテント照明設備。
【請求項３】
前記ソーラーパワー装置はまた第二ネジ山孔と、第二ネジロッドと、第一ギヤと、第二ギヤと、回転チャンバと、第一モータとを含み、前記回転チャンバが前記ランプ主体の頂壁の中に設置され、前記第一モータが前記回転チャンバの頂壁の中に固定的に設置され、前記第二ギヤが前記第一モータの出力軸の末端に固定的に設置され、前記第二ネジ山孔が前記Ｕ形ブロックの左右両側に設置され、前記第二ネジロッドが前記第二ネジ山孔の中にネジ山により連結され、且つ前記第二ネジロッドの頂部末端が前記回転チャンバの中に伸びており、前記第一ギヤが前記回転チャンバの中の前記第二ネジロッドの頂部末端に固定的に設置され、且つ前記第二ギヤと噛み合っていることを特徴とする請求項１に記載の環境にやさしい省エネルギー型のテント照明設備。
【請求項４】
前記ロック装置はまた四つのロック溝と、ロックロッドと、第一復帰装置と、カムと、第一回転軸と、第三ギヤと、リングギヤとを含み、四つの前記ロック溝が前記ランプ主体の底壁の中に下方へ開口したように中心対称的に設置され、前記ロックロッドが前記カムチャンバと前記ロック溝との間にスライドできるように設置され、前記第一復帰装置が前記ロックロッドと前記カムチャンバの底壁との間に弾性を持つように設置され、前記第一回転軸が前記カムチャンバと前記環状チャンバとの間に回転できるように設置され、前記カムが前記カムチャンバの中の前記第一回転軸の末端に固定的に設置され、前記第三ギヤが前記環状チャンバの中の前記第一回転軸の末端に固定的に設置され、前記リングギヤが前記環状チャンバの端壁の中に回転できるように設置され、且つ前記第三ギヤと噛み合っていることを特徴とする請求項１に記載の環境にやさしい省エネルギー型のテント照明設備。
【請求項５】
前記動力装置はまた第二モータと、第四ギヤと、第五ギヤと、第六ギヤと、スライド孔と、スライドロッドと、第二復帰装置と、第二バネと、推し板とを含み、前記第二モータが前記スライドブロックの底壁の中に固定的に設置され、前記第四ギヤが前記第二モータの出力軸末端に固定的に設置され、前記第五ギヤが後側の前記第一回転軸の末端に固定的に設置され、且つ前記第四ギヤと噛み合っており、前記第六ギヤが前記切換チャンバの中の前記ネジ山スリーブの外面に固定的に設置され、前記スライド孔が前記スライドチャンバと前記Ｕ形チャンバとの間に設置され、前記推し板が前記Ｕ形チャンバの中にスライドできるように設置され、前記第二バネが前記推し板と前記Ｕ形チャンバの底壁との間に弾性を持つように設置され、前記スライドロッドが前記スライド孔の中にスライドできるように設置され、且つ前記推し板と固定的に連結され、前記第二復帰装置が前記スライドブロックと前記スライドチャンバの頂壁との間に弾性を持つように設置されたことを特徴とする請求項１に記載の環境にやさしい省エネルギー型のテント照明設備。
【請求項６】
前記遮光装置はまた固定ロッドと、斜溝と、スプライン軸とを含み、前記スプライン軸が前記照明チャンバの底壁に固定的に設置され、前記スプライン軸の頂部末端が前記スプライン孔の中に入っており、且つ前記スプライン孔とスプラインにより連結され、前記固定ロッドが前記固定ラックの頂壁に環状に配置され、且つ前記固定ラックと固定的に連結され、前記斜溝が前記固定ロッドのうち前記固定ラックの中心に近接している側の端壁の中に設置されたことを特徴とする請求項１又は請求項５に記載の環境にやさしい省エネルギー型のテント照明設備。
【請求項７】
前記遮光カバーは半透明のガラス材質であり、光線が強すぎて目を痛めることを防止することを特徴とする請求項１に記載の環境にやさしい省エネルギー型のテント照明設備。
【請求項８】
前記ランプ主体の中には電力を提供することと電力を貯蔵することができる蓄電池が設置されたことを特徴とする請求項１に記載の環境にやさしい省エネルギー型のテント照明設備。
【発明の詳細な説明】
【技術分野】
【０００１】
本発明はアウトドア用品分野を取り上げて、具体的には環境にやさしい省エネルギー型のテント照明設備である。
【背景技術】
【０００２】
屋外でキャンプする時、いつも照明問題のため多い不便をもたらし、従来の照明装置はソーラーパワーを利用して発電できないので、設備が環境にやさしくなく、しかも従来の設備の装着と取り外しが不便であり、またソーラーパネルの収納が難しく、携帯しにくく、同時に従来の照明ライトの照明範囲は設備の取り付けられた位置次第であり、アウトドアテントの内部と外部への照明を便利に切り換えることができなく、これにより設備の実用性が低く、そこで上記の問題を改善するために環境にやさしい省エネルギー型のテント照明設備を設計することが必要となる。
【先行技術文献】
【特許文献】
【０００３】
【特許文献１】中国特許出願公開第１０７５８７７８１号明細書
【発明の概要】
【発明が解決しようとする課題】
【０００４】
本発明は環境にやさしい省エネルギー型のテント照明設備を提供し、従来技術における上記欠点を解消し、設備の実用性を高めることを目的とする。
【課題を解決するための手段】
【０００５】
上記の目的を実現するために、本発明は以下の技術プランを採用する：本発明の環境にやさしい省エネルギー型のテント照明設備は、ランプ主体と前記ランプ主体と連結された固定ラックとを含み、前記ランプ主体の中には空きチャンバが設置され、前記空きチャンバ及び前記空きチャンバの端壁の中には照明できる照明装置が設置され、前記空きチャンバの頂壁の中にはネジ山スリーブが回転できるように設置され、前記ネジ山スリーブの頂壁の中には第一ネジ山孔が設置され、前記第一ネジ山孔の中には前記第一ネジ山孔とネジ山により連結された第一ネジロッドが設置され、前記照明装置は前記第一ネジロッドの上下移動を利用してテントの内部と外部の空間への照明を切り換え、
前記ランプ主体の頂部の左右両側にはソーラーパワー装置が設置され、前記ソーラーパワー装置の中には前記ランプ主体の両側にヒンジにより連結されたソーラーパネルが設置され、前記ランプ主体の端壁の中にはＵ形チャンバが設置され、前記Ｕ形チャンバの中にスライドできるように設置されたＵ形ブロックが上下へ移動して前記ソーラーパネルを連動させて開閉させ、前記Ｕ形ブロックと前記ソーラーパネルとの間には支持できる支持ロッドがヒンジにより連結され、前記ランプ主体の底部の左右端壁の中には前記ランプ主体と前記固定ラックとをロックできるロック装置が対称的に設置され、前記ロック装置は前記ランプ主体の中に設置された環状チャンバと前記環状チャンバの底壁の中に中心対称的に設置されたカムチャンバとを含み、
前記空きチャンバの頂壁の壁内に設置された切換チャンバの中には前記照明装置及び前記ロック装置に動力を提供する動力装置が設置され、前記動力装置はスライドチャンバとスライドブロックとを含み、前記スライドチャンバが前記切換チャンバの頂壁の中に設置され、前記スライドブロックが前記スライドチャンバの中にスライドできるように設置され、前記固定ラックの中にはライトの強度を下げることができる遮光装置が設置され、前記遮光装置は照明チャンバと遮光カバーとを含み、前記照明チャンバが前記固定ラックの頂壁の中に設置され、前記遮光カバーが前記照明チャンバの端壁の中に環状に設置された。
【０００６】
好ましくは、前記照明装置はまたスプライン孔と、環状ブロックと、リミットブロックと、照明ライトと、ヒンジ連結ロッドと、コンロッドと、連通孔と、第一バネとを含み、前記スプライン孔が前記第一ネジロッドの底壁の中に設置され、前記環状ブロックが前記第一ネジロッドの外部にスライドできるように設置され、前記リミットブロックが前記第一ネジロッドの外面に固定され、且つ前記環状ブロックの上方に位置しており、前記ヒンジ連結ロッドが前記環状ブロックの左右端壁に左右対称的にヒンジにより連結され、前記照明ライトが前記ヒンジ連結ロッドの末端に固定的に設置され、前記コンロッドの一端が前記リミットブロックの端壁に連結され、前記コンロッドのもう一端が前記ヒンジ連結ロッドの中間位置に連結され、前記第一バネが前記リミットブロックと前記環状ブロックの端壁との間に弾性を持つように設置され、前記空きチャンバの左右端壁の中には外部に連通している連通孔が対称的に設置された。
【０００７】
好ましくは、前記ソーラーパワー装置はまた第二ネジ山孔と、第二ネジロッドと、第一ギヤと、第二ギヤと、回転チャンバと、第一モータとを含み、前記回転チャンバが前記ランプ主体の頂壁の中に設置され、前記第一モータが前記回転チャンバの頂壁の中に固定的に設置され、前記第二ギヤが前記第一モータの出力軸の末端に固定的に設置され、前記第二ネジ山孔が前記Ｕ形ブロックの左右両側に設置され、前記第二ネジロッドが前記第二ネジ山孔の中にネジ山により連結され、且つ前記第二ネジロッドの頂部末端が前記回転チャンバの中に伸びており、前記第一ギヤが前記回転チャンバの中の前記第二ネジロッドの頂部末端に固定的に設置され、且つ前記第二ギヤと噛み合っている。
【０００８】
好ましくは、前記ロック装置はまた四つのロック溝と、ロックロッドと、第一復帰装置と、カムと、第一回転軸と、第三ギヤと、リングギヤとを含み、四つの前記ロック溝が前記ランプ主体の底壁の中に下方へ開口したように中心対称的に設置され、前記ロックロッドが前記カムチャンバと前記ロック溝との間にスライドできるように設置され、前記第一復帰装置が前記ロックロッドと前記カムチャンバの底壁との間に弾性を持つように設置され、前記第一回転軸が前記カムチャンバと前記環状チャンバとの間に回転できるように設置され、前記カムが前記カムチャンバの中の前記第一回転軸の末端に固定的に設置され、前記第三ギヤが前記環状チャンバの中の前記第一回転軸の末端に固定的に設置され、前記リングギヤが前記環状チャンバの端壁の中に回転できるように設置され、且つ前記第三ギヤと噛み合っている。
【０００９】
好ましくは、前記動力装置はまた第二モータと、第四ギヤと、第五ギヤと、第六ギヤと、スライド孔と、スライドロッドと、第二復帰装置と、第二バネと、推し板とを含み、前記第二モータが前記スライドブロックの底壁の中に固定的に設置され、前記第四ギヤが前記第二モータの出力軸末端に固定的に設置され、前記第五ギヤが後側の前記第一回転軸の末端に固定的に設置され、且つ前記第四ギヤと噛み合っており、前記第六ギヤが前記切換チャンバの中の前記ネジ山スリーブの外面に固定的に設置され、前記スライド孔が前記スライドチャンバと前記Ｕ形チャンバとの間に設置され、前記推し板が前記Ｕ形チャンバの中にスライドできるように設置され、前記第二バネが前記推し板と前記Ｕ形チャンバの底壁との間に弾性を持つように設置され、前記スライドロッドが前記スライド孔の中にスライドできるように設置され、且つ前記推し板と固定的に連結され、前記第二復帰装置が前記スライドブロックと前記スライドチャンバの頂壁との間に弾性を持つように設置された。
【００１０】
好ましくは、前記遮光装置はまた固定ロッドと、斜溝と、スプライン軸とを含み、前記スプライン軸が前記照明チャンバの底壁に固定的に設置され、前記スプライン軸の頂部末端が前記スプライン孔の中に入っており、且つ前記スプライン孔とスプラインにより連結され、前記固定ロッドが前記固定ラックの頂壁に環状に配置され、且つ前記固定ラックと固定的に連結され、前記斜溝が前記固定ロッドのうち前記固定ラックの中心に近接している側の端壁の中に設置された。
【００１１】
好ましくは、前記遮光カバーは半透明のガラス材質であり、光線が強すぎて目を痛めることを防止する。
【００１２】
好ましくは、前記ランプ主体の中には電力を提供することと電力を貯蔵することができる蓄電池が設置された。
【発明の効果】
【００１３】
本発明の有益効果は：本発明が提供した環境にやさしい省エネルギー型のテント照明設備は、ソーラーパネルを利用して発電でき、且つ電力を貯蔵でき、省エネルギーで環境にやさしく、同時に設備の装着と取り外しが便利であり、また設備はソーラーパネルを収納でき、携帯しやすく、設備はテントの内部と外部を照明でき、切換が便利であり、アウトドアの使用に便利を与え、本発明は機能性が高く、普及する価値を有する。
【図面の簡単な説明】
【００１４】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本発明の環境にやさしい省エネルギー型のテント照明設備の全体構成模式図
【図２】図２は図１の中のＡ―Ａの構成模式図
【図３】図３は図２の中のＢ―Ｂの構成模式図
【図４】図４は図２の中のＣの拡大構成模式図
【図５】図５は図２の中のＤの拡大構成模式図
【発明を実施するための形態】
【００１６】
図１〜５を参照し、本発明の環境にやさしい省エネルギー型のテント照明設備は、ランプ主体１０と前記ランプ主体１０と連結された固定ラック３４とを含み、前記ランプ主体１０の中には空きチャンバ１１が設置され、前記空きチャンバ１１及び前記空きチャンバ１１の端壁の中には照明できる照明装置２００が設置され、前記空きチャンバ１１の頂壁の中にはネジ山スリーブ２２が回転できるように設置され、前記ネジ山スリーブ２２の頂壁の中には第一ネジ山孔２３が設置され、前記第一ネジ山孔２３の中には前記第一ネジ山孔２３とネジ山により連結された第一ネジロッド２７が設置され、前記照明装置２００は前記第一ネジロッド２７の上下移動を利用してテントの内部と外部の空間への照明を切り換え、
前記ランプ主体１０の頂部の左右両側にはソーラーパワー装置３００が設置され、前記ソーラーパワー装置３００の中には前記ランプ主体１０の両側にヒンジにより連結されたソーラーパネル１７が設置され、前記ランプ主体１０の端壁の中にはＵ形チャンバ１３が設置され、前記Ｕ形チャンバ１３の中にスライドできるように設置されたＵ形ブロック１５が上下へ移動して前記ソーラーパネル１７を連動させて開閉させ、前記Ｕ形ブロック１５と前記ソーラーパネル１７との間には支持できる支持ロッド１６がヒンジにより連結され、前記ランプ主体１０の底部の左右端壁の中には前記ランプ主体１０と前記固定ラック３４とをロックできるロック装置４００が対称的に設置され、前記ロック装置４００は前記ランプ主体１０の中に設置された環状チャンバ１０と前記環状チャンバ５８の底壁の中に中心対称的に設置されたカムチャンバ５３とを含み、
前記空きチャンバ１１の頂壁の壁内に設置された切換チャンバ２４の中には前記照明装置２００及び前記ロック装置４００に動力を提供する動力装置５００が設置され、前記動力装置５００はスライドチャンバ４５とスライドブロック４０とを含み、前記スライドチャンバ４５が前記切換チャンバ２４の頂壁の中に設置され、前記スライドブロック４０が前記スライドチャンバ４５の中にスライドできるように設置され、前記固定ラック３４の中にはライトの強度を下げることができる遮光装置６００が設置され、前記遮光装置６００は照明チャンバ３０と遮光カバー３３とを含み、前記照明チャンバ３０が前記固定ラック３４の頂壁の中に設置され、前記遮光カバー３３が前記照明チャンバ３０の端壁の中に環状に設置された。
【００１７】
有益的には、前記照明装置２００はまたスプライン孔３５と、環状ブロック３８と、リミットブロック３２と、照明ライト２８と、ヒンジ連結ロッド２９と、コンロッド３１と、連通孔２６と、第一バネ３７とを含み、前記スプライン孔３５が前記第一ネジロッド２７の底壁の中に設置され、前記環状ブロック３８が前記第一ネジロッド２７の外部にスライドできるように設置され、前記リミットブロック３２が前記第一ネジロッド２７の外面に固定され、且つ前記環状ブロック３８の上方に位置しており、前記ヒンジ連結ロッド２９が前記環状ブロック３８の左右端壁に左右対称的にヒンジにより連結され、前記照明ライト２８が前記ヒンジ連結ロッド２９の末端に固定的に設置され、前記コンロッド３１の一端が前記リミットブロック３２の端壁に連結され、前記コンロッド３１のもう一端が前記ヒンジ連結ロッド２９の中間位置に連結され、前記第一バネ３７が前記リミットブロック３２と前記環状ブロック３８の端壁との間に弾性を持つように設置され、前記空きチャンバ１１の左右端壁の中には外部に連通している連通孔２６が対称的に設置された。
【００１８】
有益的には、前記ソーラーパワー装置３００はまた第二ネジ山孔１４と、第二ネジロッド１３と、第一ギヤ１８と、第二ギヤ２１と、回転チャンバ１９と、第一モータ２０とを含み、前記回転チャンバ１９が前記ランプ主体１０の頂壁の中に設置され、前記第一モータ２０が前記回転チャンバ１９の頂壁の中に固定的に設置され、前記第二ギヤ２１が前記第一モータ２０の出力軸の末端に固定的に設置され、前記第二ネジ山孔１４が前記Ｕ形ブロック１５の左右両側に設置され、前記第二ネジロッド１３が前記第二ネジ山孔１４の中にネジ山により連結され、且つ前記第二ネジロッド１３の頂部末端が前記回転チャンバ１９の中に伸びており、前記第一ギヤ１８が前記回転チャンバ１９の中の前記第二ネジロッド１３の頂部末端に固定的に設置され、且つ前記第二ギヤ２１と噛み合っている。
【００１９】
有益的には、前記ロック装置４００はまた四つのロック溝５７と、ロックロッド５２と、第一復帰装置５４と、カム５１と、第一回転軸５０と、第三ギヤ５９と、リングギヤ４９とを含み、四つの前記ロック溝５７が前記ランプ主体１０の底壁の中に下方へ開口したように中心対称的に設置され、前記ロックロッド５２が前記カムチャンバ５３と前記ロック溝５７との間にスライドできるように設置され、前記第一復帰装置５４が前記ロックロッド５２と前記カムチャンバ５３の底壁との間に弾性を持つように設置され、前記第一回転軸５０が前記カムチャンバ５３と前記環状チャンバ５８との間に回転できるように設置され、前記カム５１が前記カムチャンバ５３の中の前記第一回転軸５０の末端に固定的に設置され、前記第三ギヤ５９が前記環状チャンバ５８の中の前記第一回転軸５０の末端に固定的に設置され、前記リングギヤ４９が前記環状チャンバ５８の端壁の中に回転できるように設置され、且つ前記第三ギヤ５９と噛み合っている。
【００２０】
有益的には、前記動力装置５００はまた第二モータ４４と、第四ギヤ４３と、第五ギヤ４２と、第六ギヤ２５と、スライド孔３９と、スライドロッド４７と、第二復帰装置４６と、第二バネ６０と、推し板４８とを含み、前記第二モータ４４が前記スライドブロック４４の底壁の中に固定的に設置され、前記第四ギヤ４３が前記第二モータ４４の出力軸末端に固定的に設置され、前記第五ギヤ４２が後側の前記第一回転軸５０の末端に固定的に設置され、且つ前記第四ギヤ４３と噛み合っており、前記第六ギヤ２５が前記切換チャンバ２４の中の前記ネジ山スリーブ２２の外面に固定的に設置され、前記スライド孔３９が前記スライドチャンバ４５と前記Ｕ形チャンバ１３との間に設置され、前記推し板４８が前記Ｕ形チャンバ１３の中にスライドできるように設置され、前記第二バネ６０が前記推し板４８と前記Ｕ形チャンバ１３の底壁との間に弾性を持つように設置され、前記スライドロッド４７が前記スライド孔３９の中にスライドできるように設置され、且つ前記推し板４８と固定的に連結され、前記第二復帰装置４６が前記スライドブロック４０と前記スライドチャンバ４５の頂壁との間に弾性を持つように設置された。
【００２１】
有益的には、前記遮光装置６００はまた固定ロッド５５と、斜溝５６と、スプライン軸３６とを含み、前記スプライン軸３６が前記照明チャンバ３０の底壁に固定的に設置され、前記スプライン軸３６の頂部末端が前記スプライン孔３５の中に入っており、且つ前記スプライン孔３５とスプラインにより連結され、前記固定ロッド５５が前記固定ラック３４の頂壁に環状に配置され、且つ前記固定ラック３４と固定的に連結され、前記斜溝５６が前記固定ロッド５５のうち前記固定ラック３４の中心に近接している側の端壁の中に設置された。
【００２２】
有益的には、前記遮光カバー３３は半透明のガラス材質であり、光線が強すぎて目を痛めることを防止する。
【００２３】
有益的には、前記ランプ主体１０の中には電力を提供することと電力を貯蔵することができる蓄電池が設置された。
【００２４】
本実施例の前記固定連結方法はボルト固定と溶接などの方法を含むが、これらに限定されない。
【００２５】
装置全体の機械動作の順序は：
【００２６】
１．使用する時に本発明の設備を図１に示すようにテント７１の予備孔に固定し、この時、前記スプライン軸３６がスプライン孔３５の中に挿入されており、前記固定ロッド５５が前記ロック溝５７の中に挿入されており、前記ロックロッド５２が前記斜溝５６の中に挿入されており、この時、前記第二モータ４４を始動して前記第四ギヤ４３を連動させて回転させ、これにより前記第五ギヤ４２を連動させて回転させ、これにより前記リングギヤ４９を連動させて回転させ、これにより前記第三ギヤ５９を連動させて回転させ、これにより前記カム５１を連動させて回転させ、これにより前記ロックロッド５２を連動させて移動させて前記斜溝５６から出させ、この時、前記固定ラック３４を下方へ引き動かして設備を前記テント７１から便利に取り外すことができる。
【００２７】
２．図に示すように、前記ソーラーパネル１７が開けられた状態にあり、この時、前記ソーラーパネル１７が日差しを受け、電力を生じて且つ蓄電池の中に貯蔵し、夜に、前記第一モータ２０を始動して回転させ、これにより前記第二ギヤ２１と前記第一ギヤ１８とを連動させて回転させ、これにより前記第二ネジロッド１３を連動させて回転させ、これにより前記Ｕ形ブロック１５を連動させて下方へ移動させ、この時、前記Ｕ形ブロック１５が下方へ移動して前記支持ロッド１６を引き動かし、これにより前記ソーラーパネル１７を連動させて下方へ回転させて収納し、前記Ｕ形ブロック１５が下方へ前記推し板４８と当接するまで移動する時、前記推し板４８が下方へ移動し、これにより前記スライドロッド４７を連動させて下方へ移動させ、これにより前記スライドブロック４０を推し動かして前方へ移動させ、これにより前記第四ギヤ４３を連動させて前記第六ギヤ２５と噛み合わせる。
【００２８】
３．この時に前記照明ライト２８が前記照明チャンバ３０の中に位置しているため、この時、前記照明ライト２８が発光し、光線が前記遮光カバー３３により濾過された後に前記テント７１の内部に射し込み、前記テント７１の内部を照明し、前記テント７１の外部を照明する時、前記第二モータ４４を始動して前記第四ギヤ４３を連動させて回転させ、これにより前記第六ギヤ２５を連動させて回転させ、これにより前記ネジ山スリーブ２２を連動させて回転させ、これにより前記第一ネジロッド２７を連動させて上方へ移動させ、前記第一ネジロッド２７が上方へ移動して前記照明ライト２８を連動させて上方へ移動させ、前記照明ライト２８が上方へ前記連通孔２６と同じ水平面になるまで移動する時、前記照明ライト２８が前記第一バネ３７の作用のもとで前記連通孔２６を通り抜けて前記ランプ主体１０の外部まで出っ張り、この時、前記照明ライト２８が前記テント７１の外部を照明する。
【００２９】
以上に述べたのはただ本発明の具体的な実施方式で、しかし本発明の保護範囲はここに限らないである。全部の創造的な労働を通じなく思いついた変化と取替は本発明の保護範囲にカバーされる。そのため、本発明の保護範囲は権利要求書が限定される保護範囲を標準とする。
【図１】
2020198285.tif 000003
【図２】
2020198285.tif 000004
【図３】
2020198285.tif 000005
【図４】
2020198285.tif 000006
【図５】
2020198285.tif 000007
【手続補正書】
【提出日】令和2年2月12日(2020.2.12)
【手続補正１】
【補正対象書類名】特許請求の範囲
【補正対象項目名】全文
【補正方法】変更
【補正の内容】
【特許請求の範囲】
【請求項１】
正面視で、ランプ主体と前記ランプ主体と連結された固定ラックとを含み、前記ランプ主体の中には空きチャンバが設置され、前記空きチャンバ及び前記空きチャンバの端壁の中には照明できる照明装置が設置され、前記空きチャンバの頂壁の中にはネジ山スリーブが回転できるように設置され、前記ネジ山スリーブの頂壁の中には第一ネジ山孔が設置され、前記第一ネジ山孔の中には前記第一ネジ山孔とネジ山により連結された第一ネジロッドが設置され、前記照明装置は前記第一ネジロッドの上下移動を利用してテントの内部と外部の空間への照明を切り換え、
前記ランプ主体の頂部の左右両側にはソーラーパワー装置が設置され、前記ソーラーパワー装置の中には前記ランプ主体の両側にヒンジにより連結されたソーラーパネルが設置され、前記ランプ主体の端壁の中にはＵ形チャンバが設置され、前記Ｕ形チャンバの中にスライドできるように設置されたＵ形ブロックが上下へ移動して前記ソーラーパネルを連動させて開閉させ、前記Ｕ形ブロックと前記ソーラーパネルとの間には支持できる支持ロッドがヒンジにより連結され、前記ランプ主体の底部の左右端壁の中には前記ランプ主体と前記固定ラックとをロックできるロック装置が前記第一ネジロッドに対して対称的に設置され、前記ロック装置は前記ランプ主体の中に設置された環状チャンバと前記環状チャンバの底壁の中に前記第一ネジロッドを中心として中心対称的に設置されたカムチャンバとを含み、
前記空きチャンバの頂壁の壁内に設置された切換チャンバの中には前記照明装置及び前記ロック装置に動力を提供する動力装置が設置され、前記動力装置はスライドチャンバとスライドブロックとを含み、前記スライドチャンバが前記切換チャンバの頂壁の中に設置され、前記スライドブロックが前記スライドチャンバの中にスライドできるように設置され、前記固定ラックの中にはライトの強度を下げることができる遮光装置が設置され、前記遮光装置は照明チャンバと遮光カバーとを含み、前記照明チャンバが前記固定ラックの頂壁の中に設置され、前記遮光カバーが前記照明チャンバの端壁の中に環状に設置されたことを特徴とする環境にやさしい省エネルギー型のテント照明設備。
【請求項２】
前記照明装置はまたスプライン孔と、環状ブロックと、リミットブロックと、照明ライトと、ヒンジ連結ロッドと、コンロッドと、連通孔と、第一バネとを含み、前記スプライン孔が前記第一ネジロッドの底壁の中に設置され、前記環状ブロックが前記第一ネジロッドの外部にスライドできるように設置され、前記リミットブロックが前記第一ネジロッドの外面に固定され、且つ前記環状ブロックの上方に位置しており、前記ヒンジ連結ロッドが前記環状ブロックの左右端壁に左右対称的にヒンジにより連結され、前記照明ライトが前記ヒンジ連結ロッドの末端に固定的に設置され、前記コンロッドの一端が前記リミットブロックの端壁に連結され、前記コンロッドのもう一端が前記ヒンジ連結ロッドの中間位置に連結され、前記第一バネが前記リミットブロックと前記環状ブロックの端壁との間に弾性を持つように設置され、前記空きチャンバの左右端壁の中には外部に連通している連通孔が前記第一ネジロッドに対して対称的に設置されたことを特徴とする請求項１に記載の環境にやさしい省エネルギー型のテント照明設備。
【請求項３】
前記ソーラーパワー装置はまた第二ネジ山孔と、第二ネジロッドと、第一ギヤと、第二ギヤと、回転チャンバと、第一モータとを含み、前記回転チャンバが前記ランプ主体の頂壁の中に設置され、前記第一モータが前記回転チャンバの頂壁の中に固定的に設置され、前記第二ギヤが前記第一モータの出力軸の末端に固定的に設置され、前記第二ネジ山孔が前記Ｕ形ブロックの左右両側に設置され、前記第二ネジロッドが前記第二ネジ山孔の中にネジ山により連結され、且つ前記第二ネジロッドの頂部末端が前記回転チャンバの中に伸びており、前記第一ギヤが前記回転チャンバの中の前記第二ネジロッドの頂部末端に固定的に設置され、且つ前記第二ギヤと噛み合っていることを特徴とする請求項１に記載の環境にやさしい省エネルギー型のテント照明設備。
【請求項４】
前記ロック装置はまた四つのロック溝と、ロックロッドと、第一復帰装置と、カムと、第一回転軸と、第三ギヤと、リングギヤとを含み、四つの前記ロック溝が前記ランプ主体の底壁の中に下方へ開口したように前記第一ネジロッドを中心として中心対称的に設置され、前記ロックロッドが前記カムチャンバと前記ロック溝との間にスライドできるように設置され、前記第一復帰装置が前記ロックロッドと前記カムチャンバの底壁との間に弾性を持つように設置され、前記第一回転軸が前記カムチャンバと前記環状チャンバとの間に回転できるように設置され、前記カムが前記カムチャンバの中の前記第一回転軸の末端に固定的に設置され、前記第三ギヤが前記環状チャンバの中の前記第一回転軸の末端に固定的に設置され、前記リングギヤが前記環状チャンバの端壁の中に回転できるように設置され、且つ前記第三ギヤと噛み合っていることを特徴とする請求項１に記載の環境にやさしい省エネルギー型のテント照明設備。
【請求項５】
前記動力装置はまた第二モータと、第四ギヤと、第五ギヤと、第六ギヤと、スライド孔と、スライドロッドと、第二復帰装置と、第二バネと、推し板とを含み、前記第二モータが前記スライドブロックの底壁の中に固定的に設置され、前記第四ギヤが前記第二モータの出力軸末端に固定的に設置され、前記第五ギヤが前記空きチャンバの後側に位置する前記第一回転軸の末端に固定的に設置され、且つ前記第四ギヤと噛み合っており、前記第六ギヤが前記切換チャンバの中の前記ネジ山スリーブの外面に固定的に設置され、前記スライド孔が前記スライドチャンバと前記Ｕ形チャンバとの間に設置され、前記推し板が前記Ｕ形チャンバの中にスライドできるように設置され、前記第二バネが前記推し板と前記Ｕ形チャンバの底壁との間に弾性を持つように設置され、前記スライドロッドが前記スライド孔の中にスライドできるように設置され、且つ前記推し板と固定的に連結され、前記第二復帰装置が前記スライドブロックと前記スライドチャンバの頂壁との間に弾性を持つように設置されたことを特徴とする請求項４に記載の環境にやさしい省エネルギー型のテント照明設備。
【請求項６】
前記遮光装置はまた固定ロッドと、斜溝と、スプライン軸とを含み、前記スプライン軸が前記照明チャンバの底壁に固定的に設置され、前記スプライン軸の頂部末端が前記スプライン孔の中に入っており、且つ前記スプライン孔とスプラインにより連結され、前記固定ロッドが前記固定ラックの頂壁に環状に配置され、且つ前記固定ラックと固定的に連結され、前記斜溝が前記固定ロッドのうち前記固定ラックの中心に近接している側の端壁の中に設置されたことを特徴とする請求項１又は請求項５に記載の環境にやさしい省エネルギー型のテント照明設備。
【請求項７】
前記遮光カバーは半透明のガラス材質であり、光線が強すぎて目を痛めることを防止することを特徴とする請求項１に記載の環境にやさしい省エネルギー型のテント照明設備。
【請求項８】
前記ランプ主体の中には電力を提供することと電力を貯蔵することができる蓄電池が設置されたことを特徴とする請求項１に記載の環境にやさしい省エネルギー型のテント照明設備。  
【手続補正２】
【補正対象書類名】明細書
【補正対象項目名】全文
【補正方法】変更
【補正の内容】
【発明の詳細な説明】
【技術分野】
【０００１】
本発明はアウトドア用品分野を取り上げて、具体的には環境にやさしい省エネルギー型のテント照明設備である。
【背景技術】
【０００２】
屋外でキャンプする時、いつも照明問題のため多い不便をもたらし、従来の照明装置はソーラーパワーを利用して発電できないので、設備が環境にやさしくなく、しかも従来の設備の装着と取り外しが不便であり、またソーラーパネルの収納が難しく、携帯しにくく、同時に従来の照明ライトの照明範囲は設備の取り付けられた位置次第であり、アウトドアテントの内部と外部への照明を便利に切り換えることができなく、これにより設備の実用性が低く、そこで上記の問題を改善するために環境にやさしい省エネルギー型のテント照明設備を設計することが必要となる。
【先行技術文献】
【特許文献】
【０００３】
【特許文献１】中国特許出願公開第１０７５８７７８１号明細書
【発明の概要】
【発明が解決しようとする課題】
【０００４】
本発明は環境にやさしい省エネルギー型のテント照明設備を提供し、従来技術における上記欠点を解消し、設備の実用性を高めることを目的とする。
【課題を解決するための手段】
【０００５】
上記の目的を実現するために、本発明は以下の技術プランを採用する：本発明の環境にやさしい省エネルギー型のテント照明設備は、ランプ主体と前記ランプ主体と連結された固定ラックとを含み、前記ランプ主体の中には空きチャンバが設置され、前記空きチャンバ及び前記空きチャンバの端壁の中には照明できる照明装置が設置され、前記空きチャンバの頂壁の中にはネジ山スリーブが回転できるように設置され、前記ネジ山スリーブの頂壁の中には第一ネジ山孔が設置され、前記第一ネジ山孔の中には前記第一ネジ山孔とネジ山により連結された第一ネジロッドが設置され、前記照明装置は前記第一ネジロッドの上下移動を利用してテントの内部と外部の空間への照明を切り換え、
前記ランプ主体の頂部の左右両側にはソーラーパワー装置が設置され、前記ソーラーパワー装置の中には前記ランプ主体の両側にヒンジにより連結されたソーラーパネルが設置され、前記ランプ主体の端壁の中にはＵ形チャンバが設置され、前記Ｕ形チャンバの中にスライドできるように設置されたＵ形ブロックが上下へ移動して前記ソーラーパネルを連動させて開閉させ、前記Ｕ形ブロックと前記ソーラーパネルとの間には支持できる支持ロッドがヒンジにより連結され、前記ランプ主体の底部の左右端壁の中には前記ランプ主体と前記固定ラックとをロックできるロック装置が前記第一ネジロッドに対して対称的に設置され、前記ロック装置は前記ランプ主体の中に設置された環状チャンバと前記環状チャンバの底壁の中に前記第一ネジロッドを中心として中心対称的に設置されたカムチャンバとを含み、
前記空きチャンバの頂壁の壁内に設置された切換チャンバの中には前記照明装置及び前記ロック装置に動力を提供する動力装置が設置され、前記動力装置はスライドチャンバとスライドブロックとを含み、前記スライドチャンバが前記切換チャンバの頂壁の中に設置され、前記スライドブロックが前記スライドチャンバの中にスライドできるように設置され、前記固定ラックの中にはライトの強度を下げることができる遮光装置が設置され、前記遮光装置は照明チャンバと遮光カバーとを含み、前記照明チャンバが前記固定ラックの頂壁の中に設置され、前記遮光カバーが前記照明チャンバの端壁の中に環状に設置された。
【０００６】
好ましくは、前記照明装置はまたスプライン孔と、環状ブロックと、リミットブロックと、照明ライトと、ヒンジ連結ロッドと、コンロッドと、連通孔と、第一バネとを含み、前記スプライン孔が前記第一ネジロッドの底壁の中に設置され、前記環状ブロックが前記第一ネジロッドの外部にスライドできるように設置され、前記リミットブロックが前記第一ネジロッドの外面に固定され、且つ前記環状ブロックの上方に位置しており、前記ヒンジ連結ロッドが前記環状ブロックの左右端壁に左右対称的にヒンジにより連結され、前記照明ライトが前記ヒンジ連結ロッドの末端に固定的に設置され、前記コンロッドの一端が前記リミットブロックの端壁に連結され、前記コンロッドのもう一端が前記ヒンジ連結ロッドの中間位置に連結され、前記第一バネが前記リミットブロックと前記環状ブロックの端壁との間に弾性を持つように設置され、前記空きチャンバの左右端壁の中には外部に連通している連通孔が前記第一ネジロッドに対して対称的に設置された。
【０００７】
好ましくは、前記ソーラーパワー装置はまた第二ネジ山孔と、第二ネジロッドと、第一ギヤと、第二ギヤと、回転チャンバと、第一モータとを含み、前記回転チャンバが前記ランプ主体の頂壁の中に設置され、前記第一モータが前記回転チャンバの頂壁の中に固定的に設置され、前記第二ギヤが前記第一モータの出力軸の末端に固定的に設置され、前記第二ネジ山孔が前記Ｕ形ブロックの左右両側に設置され、前記第二ネジロッドが前記第二ネジ山孔の中にネジ山により連結され、且つ前記第二ネジロッドの頂部末端が前記回転チャンバの中に伸びており、前記第一ギヤが前記回転チャンバの中の前記第二ネジロッドの頂部末端に固定的に設置され、且つ前記第二ギヤと噛み合っている。
【０００８】
好ましくは、前記ロック装置はまた四つのロック溝と、ロックロッドと、第一復帰装置と、カムと、第一回転軸と、第三ギヤと、リングギヤとを含み、四つの前記ロック溝が前記ランプ主体の底壁の中に下方へ開口したように前記第一ネジロッドを中心として中心対称的に設置され、前記ロックロッドが前記カムチャンバと前記ロック溝との間にスライドできるように設置され、前記第一復帰装置が前記ロックロッドと前記カムチャンバの底壁との間に弾性を持つように設置され、前記第一回転軸が前記カムチャンバと前記環状チャンバとの間に回転できるように設置され、前記カムが前記カムチャンバの中の前記第一回転軸の末端に固定的に設置され、前記第三ギヤが前記環状チャンバの中の前記第一回転軸の末端に固定的に設置され、前記リングギヤが前記環状チャンバの端壁の中に回転できるように設置され、且つ前記第三ギヤと噛み合っている。
【０００９】
好ましくは、前記動力装置はまた第二モータと、第四ギヤと、第五ギヤと、第六ギヤと、スライド孔と、スライドロッドと、第二復帰装置と、第二バネと、推し板とを含み、前記第二モータが前記スライドブロックの底壁の中に固定的に設置され、前記第四ギヤが前記第二モータの出力軸末端に固定的に設置され、前記第五ギヤが前記空きチャンバの後側に位置する前記第一回転軸の末端に固定的に設置され、且つ前記第四ギヤと噛み合っており、前記第六ギヤが前記切換チャンバの中の前記ネジ山スリーブの外面に固定的に設置され、前記スライド孔が前記スライドチャンバと前記Ｕ形チャンバとの間に設置され、前記推し板が前記Ｕ形チャンバの中にスライドできるように設置され、前記第二バネが前記推し板と前記Ｕ形チャンバの底壁との間に弾性を持つように設置され、前記スライドロッドが前記スライド孔の中にスライドできるように設置され、且つ前記推し板と固定的に連結され、前記第二復帰装置が前記スライドブロックと前記スライドチャンバの頂壁との間に弾性を持つように設置された。
【００１０】
好ましくは、前記遮光装置はまた固定ロッドと、斜溝と、スプライン軸とを含み、前記スプライン軸が前記照明チャンバの底壁に固定的に設置され、前記スプライン軸の頂部末端が前記スプライン孔の中に入っており、且つ前記スプライン孔とスプラインにより連結され、前記固定ロッドが前記固定ラックの頂壁に環状に配置され、且つ前記固定ラックと固定的に連結され、前記斜溝が前記固定ロッドのうち前記固定ラックの中心に近接している側の端壁の中に設置された。
【００１１】
好ましくは、前記遮光カバーは半透明のガラス材質であり、光線が強すぎて目を痛めることを防止する。
【００１２】
好ましくは、前記ランプ主体の中には電力を提供することと電力を貯蔵することができる蓄電池が設置された。
【発明の効果】
【００１３】
本発明の有益効果は：本発明が提供した環境にやさしい省エネルギー型のテント照明設備は、ソーラーパネルを利用して発電でき、且つ電力を貯蔵でき、省エネルギーで環境にやさしく、同時に設備の装着と取り外しが便利であり、また設備はソーラーパネルを収納でき、携帯しやすく、設備はテントの内部と外部を照明でき、切換が便利であり、アウトドアの使用に便利を与え、本発明は機能性が高く、普及する価値を有する。
【図面の簡単な説明】
【００１４】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本発明の環境にやさしい省エネルギー型のテント照明設備の全体構成模式図
【図２】図２は図１の中のＡ―Ａの構成模式図
【図３】図３は図２の中のＢ―Ｂの構成模式図
【図４】図４は図２の中のＣの拡大構成模式図
【図５】図５は図２の中のＤの拡大構成模式図
【発明を実施するための形態】
【００１６】
図１〜５を参照し、本発明の環境にやさしい省エネルギー型のテント照明設備は、ランプ主体１０と前記ランプ主体１０と連結された固定ラック３４とを含み、前記ランプ主体１０の中には空きチャンバ１１が設置され、前記空きチャンバ１１及び前記空きチャンバ１１の端壁の中には照明できる照明装置２００が設置され、前記空きチャンバ１１の頂壁の中にはネジ山スリーブ２２が回転できるように設置され、前記ネジ山スリーブ２２の頂壁の中には第一ネジ山孔２３が設置され、前記第一ネジ山孔２３の中には前記第一ネジ山孔２３とネジ山により連結された第一ネジロッド２７が設置され、前記照明装置２００は前記第一ネジロッド２７の上下移動を利用してテントの内部と外部の空間への照明を切り換え、
前記ランプ主体１０の頂部の左右両側にはソーラーパワー装置３００が設置され、前記ソーラーパワー装置３００の中には前記ランプ主体１０の両側にヒンジにより連結されたソーラーパネル１７が設置され、前記ランプ主体１０の端壁の中にはＵ形チャンバ１３が設置され、前記Ｕ形チャンバ１３の中にスライドできるように設置されたＵ形ブロック１５が上下へ移動して前記ソーラーパネル１７を連動させて開閉させ、前記Ｕ形ブロック１５と前記ソーラーパネル１７との間には支持できる支持ロッド１６がヒンジにより連結され、前記ランプ主体１０の底部の左右端壁の中には前記ランプ主体１０と前記固定ラック３４とをロックできるロック装置４００が前記第一ネジロッド２７に対して対称的に設置され、前記ロック装置４００は前記ランプ主体１０の中に設置された環状チャンバ１０と前記環状チャンバ５８の底壁の中に前記第一ネジロッド２７を中心として中心対称的に設置されたカムチャンバ５３とを含み、前記空きチャンバ１１の頂壁の壁内に設置された切換チャンバ２４の中には前記照明装置２００及び前記ロック装置４００に動力を提供する動力装置５００が設置され、前記動力装置５００はスライドチャンバ４５とスライドブロック４０とを含み、
前記スライドチャンバ４５が前記切換チャンバ２４の頂壁の中に設置され、前記スライドブロック４０が前記スライドチャンバ４５の中にスライドできるように設置され、前記固定ラック３４の中にはライトの強度を下げることができる遮光装置６００が設置され、前記遮光装置６００は照明チャンバ３０と遮光カバー３３とを含み、前記照明チャンバ３０が前記固定ラック３４の頂壁の中に設置され、前記遮光カバー３３が前記照明チャンバ３０の端壁の中に環状に設置された。
【００１７】
有益的には、前記照明装置２００はまたスプライン孔３５と、環状ブロック３８と、リミットブロック３２と、照明ライト２８と、ヒンジ連結ロッド２９と、コンロッド３１と、連通孔２６と、第一バネ３７とを含み、前記スプライン孔３５が前記第一ネジロッド２７の底壁の中に設置され、前記環状ブロック３８が前記第一ネジロッド２７の外部にスライドできるように設置され、前記リミットブロック３２が前記第一ネジロッド２７の外面に固定され、且つ前記環状ブロック３８の上方に位置しており、前記ヒンジ連結ロッド２９が前記環状ブロック３８の左右端壁に左右対称的にヒンジにより連結され、前記照明ライト２８が前記ヒンジ連結ロッド２９の末端に固定的に設置され、前記コンロッド３１の一端が前記リミットブロック３２の端壁に連結され、前記コンロッド３１のもう一端が前記ヒンジ連結ロッド２９の中間位置に連結され、前記第一バネ３７が前記リミットブロック３２と前記環状ブロック３８の端壁との間に弾性を持つように設置され、前記空きチャンバ１１の左右端壁の中には外部に連通している連通孔２６が前記第一ネジロッド２７に対して対称的に設置された。
【００１８】
有益的には、前記ソーラーパワー装置３００はまた第二ネジ山孔１４と、第二ネジロッド１３と、第一ギヤ１８と、第二ギヤ２１と、回転チャンバ１９と、第一モータ２０とを含み、前記回転チャンバ１９が前記ランプ主体１０の頂壁の中に設置され、前記第一モータ２０が前記回転チャンバ１９の頂壁の中に固定的に設置され、前記第二ギヤ２１が前記第一モータ２０の出力軸の末端に固定的に設置され、前記第二ネジ山孔１４が前記Ｕ形ブロック１５の左右両側に設置され、前記第二ネジロッド１３が前記第二ネジ山孔１４の中にネジ山により連結され、且つ前記第二ネジロッド１３の頂部末端が前記回転チャンバ１９の中に伸びており、前記第一ギヤ１８が前記回転チャンバ１９の中の前記第二ネジロッド１３の頂部末端に固定的に設置され、且つ前記第二ギヤ２１と噛み合っている。
【００１９】
有益的には、前記ロック装置４００はまた四つのロック溝５７と、ロックロッド５２と、第一復帰装置５４と、カム５１と、第一回転軸５０と、第三ギヤ５９と、リングギヤ４９とを含み、四つの前記ロック溝５７が前記ランプ主体１０の底壁の中に下方へ開口したように前記第一ネジロッド２７を中心として中心対称的に設置され、前記ロックロッド５２が前記カムチャンバ５３と前記ロック溝５７との間にスライドできるように設置され、前記第一復帰装置５４が前記ロックロッド５２と前記カムチャンバ５３の底壁との間に弾性を持つように設置され、前記第一回転軸５０が前記カムチャンバ５３と前記環状チャンバ５８との間に回転できるように設置され、前記カム５１が前記カムチャンバ５３の中の前記第一回転軸５０の末端に固定的に設置され、前記第三ギヤ５９が前記環状チャンバ５８の中の前記第一回転軸５０の末端に固定的に設置され、前記リングギヤ４９が前記環状チャンバ５８の端壁の中に回転できるように設置され、且つ前記第三ギヤ５９と噛み合っている。
【００２０】
有益的には、前記動力装置５００はまた第二モータ４４と、第四ギヤ４３と、第五ギヤ４２と、第六ギヤ２５と、スライド孔３９と、スライドロッド４７と、第二復帰装置４６と、第二バネ６０と、推し板４８とを含み、前記第二モータ４４が前記スライドブロック４４の底壁の中に固定的に設置され、前記第四ギヤ４３が前記第二モータ４４の出力軸末端に固定的に設置され、前記第五ギヤ４２が前記空きチャンバ１１の後側に位置する前記第一回転軸５０の末端に固定的に設置され、且つ前記第四ギヤ４３と噛み合っており、前記第六ギヤ２５が前記切換チャンバ２４の中の前記ネジ山スリーブ２２の外面に固定的に設置され、前記スライド孔３９が前記スライドチャンバ４５と前記Ｕ形チャンバ１３との間に設置され、前記推し板４８が前記Ｕ形チャンバ１３の中にスライドできるように設置され、前記第二バネ６０が前記推し板４８と前記Ｕ形チャンバ１３の底壁との間に弾性を持つように設置され、前記スライドロッド４７が前記スライド孔３９の中にスライドできるように設置され、且つ前記推し板４８と固定的に連結され、前記第二復帰装置４６が前記スライドブロック４０と前記スライドチャンバ４５の頂壁との間に弾性を持つように設置された。
【００２１】
有益的には、前記遮光装置６００はまた固定ロッド５５と、斜溝５６と、スプライン軸３６とを含み、前記スプライン軸３６が前記照明チャンバ３０の底壁に固定的に設置され、前記スプライン軸３６の頂部末端が前記スプライン孔３５の中に入っており、且つ前記スプライン孔３５とスプラインにより連結され、前記固定ロッド５５が前記固定ラック３４の頂壁に環状に配置され、且つ前記固定ラック３４と固定的に連結され、前記斜溝５６が前記固定ロッド５５のうち前記固定ラック３４の中心に近接している側の端壁の中に設置された。
【００２２】
有益的には、前記遮光カバー３３は半透明のガラス材質であり、光線が強すぎて目を痛めることを防止する。
【００２３】
有益的には、前記ランプ主体１０の中には電力を提供することと電力を貯蔵することができる蓄電池が設置された。
【００２４】
本実施例の前記固定連結方法はボルト固定と溶接などの方法を含むが、これらに限定されない。
【００２５】
装置全体の機械動作の順序は：
【００２６】
１．使用する時に本発明の設備を図１に示すようにテント７１の予備孔に固定し、この時、前記スプライン軸３６がスプライン孔３５の中に挿入されており、前記固定ロッド５５が前記ロック溝５７の中に挿入されており、前記ロックロッド５２が前記斜溝５６の中に挿入されており、この時、前記第二モータ４４を始動して前記第四ギヤ４３を連動させて回転させ、これにより前記第五ギヤ４２を連動させて回転させ、前記第五ギヤ４２は回転して前記空きチャンバ１１の後側に位置する前記第三ギヤ５９を回転させ、これにより前記リングギヤ４９を連動させて回転させ、この時にすべての前記第三ギヤ５９が回転し、これにより前記カム５１を連動させて回転させ、これにより前記ロックロッド５２を連動させて移動させて前記斜溝５６から出させ、この時、前記固定ラック３４を下方へ引き動かして設備を前記テント７１から便利に取り外すことができる。
【００２７】
２．図に示すように、前記ソーラーパネル１７が開けられた状態にあり、この時、前記ソーラーパネル１７が日差しを受け、電力を生じて且つ蓄電池の中に貯蔵し、夜に、前記第一モータ２０を始動して回転させ、これにより前記第二ギヤ２１と前記第一ギヤ１８とを連動させて回転させ、これにより前記第二ネジロッド１３を連動させて回転させ、これにより前記Ｕ形ブロック１５を連動させて下方へ移動させ、この時、前記Ｕ形ブロック１５が下方へ移動して前記支持ロッド１６を引き動かし、これにより前記ソーラーパネル１７を連動させて下方へ回転させて収納し、前記Ｕ形ブロック１５が下方へ前記推し板４８と当接するまで移動する時、前記推し板４８が下方へ移動し、これにより前記スライドロッド４７を連動させて下方へ移動させ、これにより前記スライドブロック４０を推し動かして前方へ移動させ、これにより前記第四ギヤ４３を連動させて前記第六ギヤ２５と噛み合わせる。
【００２８】
３．この時に前記照明ライト２８が前記照明チャンバ３０の中に位置しているため、この時、前記照明ライト２８が発光し、光線が前記遮光カバー３３により濾過された後に前記テント７１の内部に射し込み、前記テント７１の内部を照明し、前記テント７１の外部を照明する時、前記第二モータ４４を始動して前記第四ギヤ４３を連動させて回転させ、これにより前記第六ギヤ２５を連動させて回転させ、これにより前記ネジ山スリーブ２２を連動させて回転させ、これにより前記第一ネジロッド２７を連動させて上方へ移動させ、前記第一ネジロッド２７が上方へ移動して前記照明ライト２８を連動させて上方へ移動させ、前記照明ライト２８が上方へ前記連通孔２６と同じ水平面になるまで移動する時、前記照明ライト２８が前記第一バネ３７の作用のもとで前記連通孔２６を通り抜けて前記ランプ主体１０の外部まで出っ張り、この時、前記照明ライト２８が前記テント７１の外部を照明する。
【００２９】
以上に述べたのはただ本発明の具体的な実施方式で、しかし本発明の保護範囲はここに限らないである。全部の創造的な労働を通じなく思いついた変化と取替は本発明の保護範囲にカバーされる。そのため、本発明の保護範囲は権利要求書が限定される保護範囲を標準とする。